(57)【特許請求の範囲】
【請求項１】
複数の個別画面で構成された総合画面を有する表示装置であって、  前記総合画面は、前記複数の個別画面の少なくとも１つが表示されなくなったとき、縮小画面と、非縮小画面とで構成され、  前記縮小画面は、前記表示されなくなった前記個別画面の画像情報と、前記表示されなくなった個別画面と相互に補完し合う関係にある一つの健全な前記個別画面の画像情報とが、一体的に縮小表示され、 他の健全な個別画面は、前記非縮小画面としてそのまま表示される、表示装置。
【請求項２】
請求項１に記載された表示装置であって、連続する路線が表示された前記複数の個別画面の一部が表示されなくなった場合は、前記個別画面の一部は、前記路線が連続する方向に対して垂直方向に隣接する他の個別画面と一体的に縮小して表示され、
前記路線の連続する方向に対して垂直方向に表示される全ての個別画面が表示されなくなった場合は、前記全ての個別画面は、前記路線が連続する方向に隣接する個別画面にそれぞれ一体的に縮小して表示される、表示装置。
【請求項３】
請求項１又は２に記載の表示装置であって、複数のプロジェクタと、スクリーンとを含み、
前記個別画面は、前記プロジェクタから出力される画像情報が前記スクリーンに表示されたものである、表示装置。
【請求項４】
請求項１又は２に記載の表示装置であって、画像情報出力器と、複数のディスプレイとを含み、
前記個別画面は、前記画像情報出力器から出力される画像情報が前記ディスプレイの一つに表示されるものである、表示装置。
【発明の詳細な説明】
【技術分野】
【０００１】
本発明は、表示装置に関し、具体的には故障時の縮退表示形式に特徴がある表示装置に関する。
【背景技術】
【０００２】
複数の個別画面で構成された総合画面を有する表示装置について、従来より、種々の態様のものが提案され、実用に供されている。例えば、特許文献１には、電力系統やプラントなどのシステム全体を表示するように複数の個別画面を縦横に組み合わせた表示装置であって、前記個別画面の一つが故障したときに、前記故障画面を含む一列を不使用とし、且つ、総合画面に表示されていた元の全体画像情報を縮小して、残った個別画面の全体に縮退表示させる発明が開示されている。
【０００３】
また、特許文献２には、プラント監視装置等のように、必要な全体画像を常時表示することが要求される分野において用いられる表示装置であって、マトリクス状に配置された個別画面と、前記個別画面の全体に表示させる全体画像情報を生成する発生手段との間に、縮小分配機構を有することにより、各画像情報の大きさを変更して個別画面に分配し、全体画像情報を表示させる発明が開示されている。
【０００４】
ところで、この種の表示装置が、例えば鉄道の運転指令所において、列車の運行状況や機器の動作状況を監視するなど、極めて高い保安度が要求される分野で用られる場合、個別画面の一部が故障したときに生じる不具合の影響は、最小限にとどめるべきことが要請される。
【０００５】
しかし、特許文献１及び２の開示内容では、上記要請に応えることができない。すなわち、特許文献１及び２では、個別画面の１つが故障したときに、全体画像情報が縮退表示されることにより、前記故障画面の画像情報とともに、故障していなかった健全な個別画面の画像情報までも小さくなってしまう結果、異常表示等の見落としが誘発され、列車の運行管理に支障が生じる。
【０００６】
さらに言えば、上述した異常表示等の見落としを回避するため、指令員は、縮退表示された全体画像情報に基づいて監視業務を行うこととなるから、指令員に過剰な負担を強いることとなる。
【先行技術文献】
【特許文献】
【０００７】
【特許文献１】特開２０００−８９７３８号公報
【特許文献２】特開平８−６５３２号公報
【発明の概要】
【発明が解決しようとする課題】
【０００８】
本発明の課題は、故障による不具合の影響を最小限にとどめ、有効画面領域を最大限確保しうる表示装置を提供することである。
【課題を解決するための手段】
【０００９】
上述した課題を解決するため、本発明に係る表示装置は、複数の個別画面で構成された総合画面を有する表示装置であって、前記総合画面は、前記複数の個別画面の少なくとも１つが表示されなくなったとき、縮小画面と、非縮小画面とで構成され、前記縮小画面は、前記表示されなくなった前記個別画面の画像情報と、前記表示されなくなった個別画面と相互に補完し合う関係にある一つの健全な前記個別画面の画像情報とが、一体的に縮小表示され、他の健全な個別画面は、前記非縮小画面としてそのまま表示される。 
【００１０】
上述したように、本発明に係る表示装置の構成によると、例えば、故障により一部の個別画面において画像情報が表示されなくなったとき、総合画面内に、前記故障画面の画像情報が縮退表示された縮小画面が構成される一方、故障していない健全な個別画面の画像情報がそのまま表示された非縮小画面が構成される。従って、故障による不具合の影響を最小限にとどめ、有効画面領域を最大限確保しうる表示装置を提供することができる。
【００１１】
より具体的に説明すると、本発明に係る表示装置は、少なくとも三つ以上の個別画面を含み、第１個別画面は、第２個別画面が表示されなくなったとき、第１個別画面の画像情報（第１画像情報）と、第２個別画面の画像情報（第２画像情報）との両者を縮小して表示し、第３個別画面は、その画像情報（第３画像情報）を縮小せずに表示する。この構成によると、例えば故障などにより表示されなくなった第２画像情報は、第１個別画面において、第１画像情報とともに縮退表示されるから、故障の前後で、総合画面に表示されるべき全体画像情報に実質的な変化はなく、表示内容の欠落が回避される。
【００１２】
しかも、第１個別画面を縮小画面とすることにより、第２画像情報の欠落が、第１個別画面のみによって補完され、第３個別画面は故障の影響を受けず、第３画像情報が縮小されずに表示される。従って、故障による不具合の影響を最小限にとどめ、有効画面領域を最大限確保しうる表示装置を提供することができる。
【００１３】
さらに言えば、本発明に係る表示装置が、例えば鉄道の運転指令所において、列車の運行状況や機器の動作状況を監視するために用られる場合、指令員は、少なくとも、縮小画面となる第１個別画面以外の個別画面について、非縮小画面で表示される画像情報に基づいて監視業務を行うこととなるから、指令員に過大な負担がかかることはない。
【発明の効果】
【００１４】
以上述べたように、本発明によれば、故障による不具合の影響を最小限にとどめ、有効画面領域を最大限確保しうる表示装置を提供することができる。
【００１５】
本発明の他の目的、構成及び利点については、添付図面を参照し、更に詳しく説明する。添付図面は、単に、例示に過ぎない。
【図面の簡単な説明】
【００１６】
【図１】本発明の実施形態に係る表示装置を示す正面図である。
【図２】図１に示した表示装置の構成を示す図である。
【図３】図１の表示装置の使用状態を示す図である。
【図４】本発明のもう一つの実施形態に係る表示装置を模式的に示す図である。
【図５】本発明のもう一つの実施形態に係る表示装置を模式的に示す図である。
【発明を実施するための形態】
【００１７】
図１乃至図５において同一符号は、同一又は対応部分を示すものとする。図１乃至図３の表示装置は、例えば鉄道の運転指令所において、列車の運行状況や機器の動作状況を監視し、又は、制御するために用いられるものであって、総合画面１を有しており、表示対象となる列車の路線図、閉そく区間、信号現示、同路線を走行する全列車の現在位置、列車相互の間隔のほか、制御機器の動作状況などが全体画像情報Ｓ１として映し出されている。
【００１８】
総合画面１の縦寸法および横寸法は、表示対象となる路線の全長距離や構成など（路線構成）に応じて設定される。例えば、都市部の地下鉄道のように路線が比較的限定された地域内に設定されている場合、総合画面１は正方形または縦長の長方形となり、新幹線のように路線が複数の都道府県に跨って広く設定されている場合、総合画面１は横長の長方形となる。
【００１９】
総合画面１は、複数、さらに言えば少なくとも三つ以上の個別画面で構成されている。図１及び図２の総合画面１は、縦方向（又は上下方向）と、横方向（又は左右方向）に沿ってマトリックス状に配置された４つの個別画面１１乃至１４で構成されている。表示装置の総合画面１を個別画面１１乃至１４で構成することにより、故障によるシステムダウンの危険が分散されるとともに、既に説明したように、表示対象となる路線構成に応じた画面構成を採用することが可能になる。すなわち、総合画面１を構成する個別画面１１乃至１４の設置数、及び、配置態様は、路線構成に従って適宜決定される。
【００２０】
総合画面１を構成する個別画面１１乃至１４は、その配置に応じて、総合画面１に映し出される全体画像情報Ｓ１の一部を表示する。さらに、個別画面１１乃至１４は、図２に示すように相互に補完し合う関係にある。より具体的に説明すると、個別画面１１は、総合画面１を構成する他の個別画面１２乃至１４のそれぞれと対になっており、図３に示すように例えば個別画面１２が表示されなくなったとき、個別画面１１には、もともと個別画面１１に映し出されていた画像情報Ｓ１１と、個別画面１２の画像情報Ｓ１２との両者が一体的に縮小されて表示される。
【００２１】
他方、個別画面１３、１４に、もともと映し出されていた画像情報Ｓ１３、Ｓ１４は縮小せずに、そのまま個別画面１３、１４に表示される。図３の表示装置を違う言葉で表現すれば、総合画面１は、故障により個別画面１２が非表示状態となったとき、画像情報Ｓ１１、Ｓ１２を表示する個別画面１１が縮小画面を構成し、個別画面１３、１４がそれぞれ非縮小画面を構成する。
【００２２】
説明の都合上、個別画面１１を縮小画面として説明したが、図２に示すように、個別画面１１乃至１４は相互に補完し合う関係にあるから、非表示となった画像情報Ｓ１２は、個別画面１３、１４の何れかに縮退表示させてもよい。個別画面１１乃至１４の何れかに故障等による表示の不具合が生じたとき、その故障画面の画像情報（Ｓ１１乃至Ｓ１４）を、どの個別画面（１１乃至１４）に縮退表示させるかは、適宜設定することができる。
【００２３】
ところで、すでに説明したように、この種の表示装置について、従来より、種々の態様のものが提案され、実用に供されている。具体的に、特開２０００−８９７３８号公報（特許文献１）には、例えば個別画面１１が故障したとき、個別画面１１及び１２を合わせた一列を不使用とし、且つ、総合画面１に表示されていた元の全体画像情報Ｓ１を縮小して、残った個別画面１３及び１４に縮退表示させる発明が開示されている。
【００２４】
また、特開平８−６５３２号公報（特許文献２）には、マトリクス状に配置された個別画面１１乃至１４と、個別画面１１乃至１４の全体に表示させる全体画像情報Ｓ１を生成する発生手段との間に、縮小分配機構を有することにより、各画像情報Ｓ１１乃至Ｓ１４の大きさを変更して個別画面１１乃至１４に分配し、全体画像情報Ｓ１を表示させる発明が開示されている。
【００２５】
確かに、上記従来の表示装置によると、全体画像情報Ｓ１が全体的に縮小されることにより、元のレイアウトを維持した状態、端的に言えば視覚的に違和感のない状態で、残った画面に再表示することができる。
【００２６】
しかし、この種の表示装置を、例えば鉄道の運転指令所において、列車の運行状況や機器の動作状況を監視するなど、極めて高い保安度が要求される分野で用いる場合、上記従来の表示装置では保安上の問題が生じる。例えば、個別画面１２が故障したときに、全体画像情報Ｓ１が縮退表示されることにより、故障画面の画像情報Ｓ１２とともに、故障していなかった健全な個別画面１３及び１４の画像情報Ｓ１３及びＳ１４までも小さくなってしまう結果、異常表示等の見落としが誘発され、列車の運行管理に支障が生じる。
【００２７】
さらに言えば、上述した異常表示等の見落としを回避するため、指令員は、縮退表示された全体画像情報Ｓ１に基づいて監視業務を行うこととなるから、指令員に過剰な負担を強いることとなる。
【００２８】
そこで、この種の表示装置を、特に高い保安度が要求される鉄道の分野で用いる場合、形式的な見やすさよりも、表示されている情報を確実に把握し、見落としなどを生じないことが要請される。
【００２９】
上述した要請に応えるため、図１乃至図３の表示装置を構成する総合画面は、個別画面１１乃至１４の少なくとも１つが表示されなくなったとき、縮小画面と、非縮小画面とで構成される。縮小画面は、表示されなくなった個別画面の画像情報を含む。この構成によると、例えば、故障により一部の個別画面において画像情報が表示されなくなったとき、総合画面内に、前記故障画面の画像情報が縮退表示された縮小画面が構成される一方、故障していない健全な個別画面の画像情報がそのまま表示された非縮小画面が構成される。従って、故障による不具合の影響を最小限にとどめ、有効画面領域を最大限確保しうる表示装置を提供することができる。
【００３０】
より具体的に説明すると、表示装置は、少なくとも三つ以上の個別画面１１乃至１４を含み、例えば個別画面１１は、個別画面１２が表示されなくなったとき、個別画面１１の画像情報Ｓ１１と、個別画面１２の画像情報Ｓ１２との両者を縮小して表示し、個別画面１３、１４は、各画像情報Ｓ１３、Ｓ１４を縮小せずに表示する。この構成によると、例えば故障などにより表示されなくなった画像情報Ｓ１２は、個別画面１１において、画像情報Ｓ１１とともに縮退表示されるから、故障の前後で、総合画面１に表示されるべき全体画像情報Ｓ１に実質的な変化はなく、画像情報Ｓ１２の欠落が回避される。
【００３１】
しかも、個別画面１１を縮小画面とすることにより、画像情報Ｓ１２の欠落が、個別画面１１のみによって補完され、個別画面１３、１４は故障の影響を受けず、画像情報Ｓ１３、Ｓ１４が縮小されずに表示される。従って、故障による不具合の影響を最小限にとどめ、有効画面領域を最大限確保しうる表示装置を提供することができる。
【００３２】
さらに言えば、表示装置が、例えば鉄道の運転指令所において、列車の運行状況や機器の動作状況を監視するために用られる場合、指令員は、少なくとも、縮小画面となる個別画面１１以外の個別画面１３、１４について、非縮小画面で表示される画像情報Ｓ１３、Ｓ１４に基づいて監視業務を行うこととなるから、指令員に過大な負担がかかることもない。
【００３３】
図４及び図５は、本発明のもう一つの実施形態に係る表示装置を模式的に示す図である。図４及び図５は、図１乃至図３を参照して説明した表示装置の技術的思想を、入力出装置の観点からより具体的に構成した実施形態である。
【００３４】
図４の表示装置は、画像情報出力器２と、映像ドライバ３１乃至３４と、投影装置（プロジェクタ）４１乃至４４と、スクリーン５とを含む。
【００３５】
画像情報出力器２は、基本画像情報と、更新画像情とを出力する。基本画像情報は、表示対象となる路線の路線図、閉そく区間、信号機の位置などである。更新画像情は、同路線を走行する全列車の現在位置、列車相互の間隔、信号現示、制御機器の動作状況などが通信回線を通じて外部から入力されるものであり、基本画像情報に、更新情報を統合することにより、表示対象となる路線における列車の運行状況や制御機器の動作状況が全体画像情報Ｓ１として常時出力される。
【００３６】
映像ドライバ３１乃至３４は、画像情報出力器２とプロジェクタ４１乃至４４との間に取り付けられており、画像情報出力器２から入力された全体画像情報Ｓ１から、プロジェクタ４１乃至４４のそれぞれにおいて出力するべき画像情報Ｓ１１乃至Ｓ１４を選択し、選択した画像情報Ｓ１１乃至Ｓ１４をプロジェクタ４１乃至４４に出力する。映像ドライバ３１乃至３４は、ソフトウェア的な構成要素として、プロジェクタ４１乃至４４の内部機構を構成してもよい。
【００３７】
プロジェクタ４１乃至４４のそれぞれは、対応する映像ドライバ３１乃至３４から入力された画像情報Ｓ１１乃至Ｓ１４を、その投影機構（図示しない）を通じてスクリーン５に投影する。図４から必ずしも明らかではないが、プロジェクタ４１乃至４４、及び、スクリーン５は周知のものを用いることができる。
【００３８】
個別画面１１乃至１４は、プロジェクタ４１乃至４４から出力される画像情報Ｓ１１乃至Ｓ１４がスクリーン５に表示されたものである。すなわち、図示しない総合画面１を構成する個別画面１１乃至１４は、個別画面１１乃至１４にそれぞれ対応するプロジェクタ４１乃至４４から出力される画像情報Ｓ１１乃至Ｓ１４がスクリーン５上に表示されたものである。
【００３９】
図４の実施形態においても、図１乃至図３を参照して説明した表示装置の利点をすべて有することができる。例えば、プロジェクタ４２の故障により、個別画面１２が表示されなくなったとき、映像ドライバ３１において、画像情報出力器２から入力された全体画像情報Ｓ１から、もともとの画像情報Ｓ１１と、画像情報Ｓ１２との両者が選択され、画像情報Ｓ１１、Ｓ１２が一体的に縮小されてプロジェクタ４１に出力される。他方、映像ドライバ３３、３４からは、画像情報Ｓ１３、Ｓ１４が縮小されずにプロジェクタ４３、４４に出力される。従って、故障による表示の不具合を最小限にとどめ、有効画面部分を出来る限り大きくしうる表示装置を提供することができる。
【００４０】
図５の表示装置は、画像情報出力器２と、映像ドライバ３１乃至３４と、複数のディスプレイ装置６１乃至６４とを含み、個別画面１１乃至１４は、画像情報出力器２から出力される全体画像情報Ｓ１が、映像ドライバ３１乃至３４によって細分化され、ディスプレイ装置６１乃至６４に表示されるものである。ディスプレイ装置６１乃至６４は、液晶、プラズマ、有機ＥＬ、さらにはブラウン管など周知の映像表示機器を用いることができる。
【００４１】
図５の表示装置は、個別画面１１乃至１４を構成する機構について、図４のプロジェクタ４４乃至４４及びスクリーン５が、ディスプレイ装置６１乃至６４に置換されている点に特徴があるものである。図５の実施形態においても、図１乃至図４を参照して説明した表示装置の利点をすべて有することができることは明白である。
【００４２】
以上、好ましい実施例を参照して本発明の内容を具体的に説明したが、本発明の基本的技術思想及び教示に基づいて、当業者であれば、種種の変形態様を採り得ることは自明である。例えば、本発明に係る表示装置の特徴の一つは、複数の個別画面の一部が表示されなくなったとき、総合画面を縮小画面と、非縮小画面とで構成することにより、故障による表示の不具合を最小限にとどめ、有効画面部分を出来る限り大きくする点にあるから、鉄道以外の分野、例えば、映画や広告など一般的な映像分野や、プラントや電力系統の監視装置として用いることができることは明白である。
【符号の説明】
【００４３】
１              総合画面
１１〜１４      個別画面
２              画像情報出力器
３１〜３４      映像ドライバ
４１〜４４      投影装置（プロジェクタ）
５              スクリーン
６１〜６４      ディスプレイ装置
Ｓ１            総合画面に映し出される画面情報
Ｓ１１〜Ｓ１４  画像情報
【図１】
0006279202.tif 000002
【図２】
0006279202.tif 000003
【図３】
0006279202.tif 000004
【図４】
0006279202.tif 000005
【図５】
0006279202.tif 000006